(57)【特許請求の範囲】
【請求項１】
油圧ポンプにより油圧駆動アクチュエータを駆動して可動部を移動させるとともに、可動部の移動中に、減速開始点に達したなら設定した停止位置に停止させる減速制御処理を行い、かつ設定した目標位置に達したなら減速終了処理を行う油圧式射出成形機の制御方法において、予め、設定した移動速度により前記可動部を移動させる定速移動区間，この定速移動区間の終了点から漸次減速させる減速移動区間，及びこの減速移動区間が終了する目標位置，を含む所定の速度制御パターンを設定するとともに、実際の定速移動区間における前記設定した移動速度により前記可動部を移動させた際に検出した移動速度と移動位置に基づき、演算により所定の時間間隔毎に順次予測した仮想停止位置で移動速度がゼロになる定速移動区間の終了点を減速開始点として設定し、成形工程における前記可動部の移動中に、前記減速開始点に達したなら前記油圧駆動アクチュエータのメータイン側を流量制御することにより減速制御処理を開始し、前記可動部の移動位置を検出して、当該移動位置に対応した速度指令により前記油圧駆動アクチュエータに対するメータイン制御を行うとともに、前記可動部の移動速度を求め、当該移動速度に対して前記速度指令に一致するように前記油圧駆動アクチュエータに対するメータアウト制御によるフィードバック制御を行うことを特徴とする油圧式射出成形機の制御方法。
【請求項２】
前記油圧駆動アクチュエータには、型締装置の型開閉シリンダを適用するとともに、前記可動部には、前記型締装置における可動型を支持する可動盤を適用することを特徴とする請求項１記載の油圧式射出成形機の制御方法。
【請求項３】
前記可動部は、移動に係わる移動抵抗に基づく負荷の大きさが一定の大きさ以下の負荷状態であることを特徴とする請求項１又は２記載の油圧式射出成形機の制御方法。
【請求項４】
前記速度指令は、検出した前記可動部の移動位置から前記速度制御パターンに基づいて求めることを特徴とする請求項１記載の油圧式射出成形機の制御方法。
【請求項５】
前記型開閉シリンダの型閉方向における前油室の油圧及び前記型開閉シリンダの型開方向における後油室の油圧を監視し、型開動作の際に、前記後油室の油圧が前記前油室の油圧よりも大きいときは、前記メータアウト制御によるフィードバック制御の速度指令に、前記後油室の油圧と前記前油室の油圧の差圧に対応する大きさの速度指令を加算する制御を行うことを特徴とする請求項２記載の油圧式射出成形機の制御方法。
【請求項６】
前記型開閉シリンダの型閉方向における前油室の油圧，前記型開閉シリンダの型開方向における後油室の油圧及び前記油圧ポンプの吐出圧を監視し、型閉動作の際に、前記前油室の油圧が前記後油室の油圧よりも大きく、かつ前記前油室の油圧が前記油圧ポンプの吐出圧よりも大きいときは、前記メータイン制御の圧力制御ループにおける圧力指令を、前記前油室の油圧の大きさに切換える制御を行うことを特徴とする請求項２記載の油圧式射出成形機の制御方法。
【請求項７】
前記型開閉シリンダの型閉方向における前油室の油圧を監視し、当該油圧が負圧のときは、メータイン制御における流量を増加させるとともに、メータイン制御における開度を絞る制御を行うことを特徴とする請求項２記載の油圧式射出成形機の制御方法。
【請求項８】
油圧ポンプにより油圧駆動アクチュエータを駆動して可動部を移動させるとともに、可動部の移動中に、減速開始点に達したなら設定した停止位置に停止させる減速制御処理を行い、かつ設定した目標位置に達したなら減速終了処理を行う機能を備える油圧式射出成形機の駆動制御装置において、前記油圧駆動アクチュエータに接続したメータイン回路と、当該油圧駆動アクチュエータに接続したメータアウト回路と、設定した移動速度により前記可動部を移動させる定速移動区間，この定速移動区間の終了点から漸次減速させる減速移動区間，及びこの減速移動区間が終了する目標位置，を含む所定の速度制御パターンを設定するとともに、実際の定速移動区間における前記設定した移動速度により前記可動部を移動させた際に検出した移動速度と移動位置に基づき、演算により所定の時間間隔毎に順次予測した仮想停止位置で移動速度がゼロになる定速移動区間の終了点を減速開始点として設定し、成形工程における前記可動部の移動中に前記減速開始点に達したなら前記油圧駆動アクチュエータに対するメータイン回路を流量制御することにより減速制御処理を開始し、前記可動部の移動位置を検出して、当該移動位置に対応した速度指令により前記メータイン回路に対するメータイン制御を行うとともに、前記可動部の移動速度を求め、当該移動速度が前記速度指令に一致するように前記メータアウト回路に対するメータアウト制御によるフィードバック制御を行う制御部とを具備してなることを特徴とする油圧式射出成形機の駆動制御装置。
【請求項９】
前記油圧駆動アクチュエータには、型締装置の型開閉シリンダを適用するとともに、前記可動部には、型締装置における可動型を支持する可動盤を適用することを特徴とする請求項８記載の油圧式射出成形機の駆動制御装置。
【請求項１０】
前記型締装置は、前記可動部を、移動に係わる移動抵抗に基づく負荷の大きさが一定の大きさ以下の負荷状態に支持する可動部支持機構を備えることを特徴とする請求項９記載の油圧式射出成形機の駆動制御装置。
【請求項１１】
前記可動部支持機構は、前記可動部を接触状態により直接摺動可能に支持する支持面を備えることを特徴とする請求項１０記載の油圧式射出成形機の駆動制御装置。
【請求項１２】
前記可動部支持機構は、前記可動部をスライド変位自在に支持するリニアガイド機構部を備えることを特徴とする請求項１０記載の油圧式射出成形機の駆動制御装置。
【請求項１３】
前記メータアウト回路は、メータアウト制御により流量を可変制御可能な流量制御弁を備えることを特徴とする請求項８記載の油圧式射出成形機の駆動制御装置。
【請求項１４】
前記油圧ポンプは、ポンプモータの回転数を可変することにより吐出流量を制御可能な可変吐出型油圧ポンプであることを特徴とする請求項８記載の油圧式射出成形機の駆動制御装置。
【発明の詳細な説明】
【技術分野】
【０００１】
本発明は、油圧ポンプにより油圧駆動アクチュエータを駆動して可動部を移動させる際の制御に用いて好適な油圧式射出成形機の制御方法及び駆動制御装置に関する。
【背景技術】
【０００２】
一般に、油圧式射出成形機は電動式射出成形機に比べて正確な位置制御や速度制御を行いにくい側面を有している。即ち、油圧式射出成形機の場合、作動油及び油圧駆動アクチュエータを用いるため、温度により作動油の粘性や体積等が変動したり、油圧駆動アクチュエータに慣性力が生じ、これらの物理的挙動が制御精度や応答性に直接影響する。また、油圧ポンプに、ポンプモータの回転数を可変して吐出流量を制御可能な可変吐出型油圧ポンプを用いた場合には、油圧ポンプから油圧駆動アクチュータに至る油圧回路の長さが長くなる傾向があり、作動油の粘性や体積の変動等が大きく影響する。例えば、油圧駆動アクチュータとして、型締装置に搭載する型開閉シリンダを想定した場合、位置に対するフィードバック制御を行ったとしても、型締位置（金型閉鎖位置）或いは型閉じ時間のショット毎のバラツキが大きくなり、可動型が固定型に衝突して破損や損傷を招くトラブルなども発生する。そして、この問題は、生産性を高めるため、型閉速度を高速化して型閉じ時間（成形サイクル時間）を短縮しようとする際に、より大きな問題となる。【０００３】
従来、この問題に対応するため、本出願人は、既に、特許文献１及び２により、油圧式の型締装置に用いて好適な制御方法を提案した。特許文献１は、型締工程の高速化を図る場合でも金型の衝突を防止し、同時に成形品質（均質化）の低下要因及び生産性の変動要因を排除するとともに、油圧系回路のコストダウン，回路構成の単純化及び小型化に寄与する型締装置の制御方法の提供を目的としたものであり、具体的には、所定の速度制御パターンを設定し、型締工程時に、型閉区間では、型閉速度により型閉制御を行い、かつ検出した現型閉速度及び現型閉位置に基づき仮想停止位置で現型閉速度がゼロになる減速区間の減速開始位置を所定時間間隔毎に演算により順次予測し、この減速開始位置に達したなら減速区間を開始するとともに、この減速区間では、検出した現型閉位置に基づき速度制御パターンに対応する速度指令値を順次演算により求め、この速度指令値により減速制御を行い、型締移行速度に達したなら、低圧低速区間を経て所定の型締処理を行うようにしたものである。【０００４】
また、特許文献２は、型開位置のショット毎のバラツキを低減し、型の無用なオーバランの発生等を確実に回避するとともに、同時に、一定の成形サイクル時間の確保と高速化を図れる型締装置の制御方法の提供を目的としたものであり、具体的には、所定の速度制御パターンを設定し、型開制御時に、型開区間では、型開速度により型開制御を行い、かつ検出した現型開速度及び現型開位置に基づき仮想停止位置で現型開速度がゼロになる減速区間の減速開始位置を所定時間間隔毎に演算により順次予測し、この減速開始位置に達したなら減速区間を開始するとともに、この減速区間では、検出した現型開位置に基づき速度制御パターンに対応する速度指令値を順次演算により求め、この速度指令値により減速制御を行い、終期移行速度に達したなら所定の停止制御処理を行うようにしたものである。
【先行技術文献】
【特許文献】
【０００５】
【特許文献１】特開２００９−２０２３６５号公報
【特許文献２】特開２００９−２０２３６６号公報
【発明の開示】
【発明が解決しようとする課題】
【０００６】
ところで、上述した従来における型締装置の制御方法は、次のような解決すべき課題も残されていた。【０００７】
即ち、型締装置における可動型を支持する可動盤は、四本のタイバーに支持される構造を有しているが、タイバーには、可動型及び可動盤を含むかなりの重量が付与されるため、下方へ撓みを生じる。したがって、可動盤が円滑にスライド変位できない問題を生じるため、通常は、可動盤の下面を基台の上面等により支持する構造を有している。また、可動盤を移動させる型開工程及び型閉工程おける停止処理を行う減速区間では、速度制御パターンを設定し、この速度制御パターンに沿って減速処理を行なっているが、上述した可動盤の下面は基台の上面等に接触しているため、この状態（接触摩擦）がある程度のブレーキ機能として作用している。したがって、特許文献１及び２のように、可動盤を移動させる油圧駆動アクチュエータに対してメータイン制御を行ったとしても、正常な減速処理を行うことができる。【０００８】
しかし、型締装置の場合、ショット毎に可動盤の反復移動を行う型開閉動作を繰り返すとともに、可動盤の下面が基台の上面等に接触している状態（摩擦接触状態）では、稼働時におけるエネルギーロスが無視できないとともに、制御精度の低下により成形品質にも悪影響が生じる。このため、これらの不具合を排除する観点からは、当該摩擦接触状態を低減し、より低負荷化することが望ましいが、反面、上述したブレーキ機能が無くなるため、慣性力により的確な減速処理ができなくなり、制御の不安定化を招いてしまう。【０００９】
具体的には、図７に示すように、油圧駆動アクチュエータの場合、設定した目標位置Ｘｏまでに可動盤の移動が減速するように、速度制御パターンにより、予め設定した減速時間Ｔｄにより求められる減速開始位置Ｘｓからメータイン回路の流量を絞り、図７に示す減速パターンＰｓをトレースするように減速制御を行うが、可動盤の移動に対する低負荷化を図った場合、ブレーキ機能が働かないことによる可動盤の慣性力により、減速区間Ｚｄにおいて十分な減速を行うことができず、図７に示す仮想線Ｐｒのように、目標位置ＸｏをオーバランしてＸｏｒの位置まで行き過ぎてしまうとともに、減速時間Ｔｄｘで示すように、到達するまでの時間は長くなる。この結果、全体の成形サイクルを長くせざるを得ず、生産性及び量産性の低下を招くとともに、制御精度の低下及び制御の不安定化による目標位置のバラツキにより成形品質にも悪影響を生じる。【００１０】
なお、メータアウト回路により油圧駆動アクチュエータから流出する流量を絞ることにより、ブレーキ機能と同様の作用を付加することも考えられるが、この場合、切換時に、圧縮された油圧力による急減速及び油圧解放時における飛び出し等が発生しやすいとともに、機械的な振動が発生する虞れもあるため、十分な解決策とはいえない。【００１１】
本発明は、このような背景技術に存在する課題を解決した油圧式射出成形機の制御方法及び駆動制御装置の提供を目的とするものである。
【課題を解決するための手段】
【００１２】
本発明に係る油圧式射出成形機１の制御方法は、上述した課題を解決するため、油圧ポンプ２により油圧駆動アクチュエータ３を駆動して可動部４を移動させるとともに、可動部４の移動中に、減速開始点Ｘｓに達したなら設定した停止位置Ｘｅに停止させる減速制御処理を行い、かつ設定した目標位置Ｘｏに達したなら減速終了処理を行うに際し、予め、設定した移動速度により可動部４を移動させる定速移動区間Ｚｃ，この定速移動区間Ｚｃの終了点（Ｘｓ）から漸次減速させる減速移動区間Ｚｄ，及びこの減速移動区間Ｚｄが終了する目標位置Ｘｏ，を含む所定の速度制御パターンＤｐを設定するとともに、実際の定速移動区間Ｚｃにおける設定した移動速度により可動部４を移動させた際に検出した移動速度と移動位置に基づき、演算により所定の時間間隔毎に順次予測した仮想停止位置Ｘｅｓで移動速度がゼロになる定速移動区間Ｚｃの終了点（Ｘｓ）を減速開始点Ｘｓとして設定し、成形工程における可動部４の移動中に、減速開始点Ｘｓに達したなら油圧駆動アクチュエータ３のメータイン側を流量制御することにより減速制御処理を開始し、可動部４の移動位置を検出して当該移動位置に対応した速度指令により油圧駆動アクチュエータ３に対するメータイン制御を行うとともに、可動部４の移動位置を検出して当該可動部４の移動速度を求め、当該移動速度に対して速度指令に一致するように油圧駆動アクチュエータ３に対するメータアウト制御によるフィードバック制御を行うようにしたことを特徴とする。
【００１３】
一方、本発明に係る油圧式射出成形機１の駆動制御装置Ｃは、上述した課題を解決するため、油圧ポンプ２により油圧駆動アクチュエータ３を駆動して可動部４を移動させるとともに、可動部４の移動中に、減速開始点Ｘｓに達したなら設定した停止位置Ｘｅに停止させる減速制御処理を行い、かつ設定した目標位置Ｘｏに達したなら減速終了処理を行う機能を備える駆動制御装置を構成するに際して、油圧駆動アクチュエータ３に接続したメータイン回路５と、油圧駆動アクチュエータ３に接続したメータアウト回路６と、設定した移動速度により可動部４を移動させる定速移動区間Ｚｃ，この定速移動区間Ｚｃの終了点（Ｘｓ）から漸次減速させる減速移動区間Ｚｄ，及び減速移動区間Ｚｄが終了する目標位置Ｘｏ，を含む所定の速度制御パターンＤｐを設定するとともに、実際の定速移動区間Ｚｃにおける設定した移動速度により可動部４を移動させた際に検出した移動速度と移動位置に基づき、演算により所定の時間間隔毎に順次予測した仮想停止位置Ｘｅｓで移動速度がゼロになる定速移動区間Ｚｃの終了点（Ｘｓ）を減速開始点Ｘｓとして設定し、成形工程における可動部４の移動中に減速開始点Ｘｓに達したなら油圧駆動アクチュエータ３に対するメータイン回路５を流量制御することにより減速制御処理を開始し、可動部４の移動位置を検出して当該移動位置に対応した速度指令によりメータイン回路５に対するメータイン制御を行うとともに、可動部４の移動位置を検出して当該可動部４の移動速度を求め、当該移動速度が速度指令に一致するようにメータアウト回路６に対するメータアウト制御によるフィードバック制御を行う制御部７とを具備してなることを特徴とする。
【００１４】
また、本発明は好適な実施の態様により、油圧駆動アクチュエータ３には、型締装置１ｃの型開閉シリンダ３ｃ…を適用することができるとともに、可動部４には、型締装置１ｃにおける可動型４ｃｍを支持する可動盤４ｍを含ませることができる。さらに、型開閉シリンダ３ｃ…の型閉方向Ｆｃにおける前油室３ｃｆ…の油圧Ｐｆ及び型開閉シリンダ３ｃ…の型開方向Ｆｏにおける後油室３ｃｒ…の油圧Ｐｒを監視し、型開動作の際に、後油室３ｃｒ…の油圧Ｐｒが前油室３ｃｆ…の油圧Ｐｆよりも大きいときは、メータアウト制御によるフィードバック制御の速度指令に、後油室３ｃｒ…の油圧Ｐｒと前油室３ｃｆ…の油圧Ｐｆの差圧に対応する大きさの速度指令を加算する制御を行うことができるとともに、型開閉シリンダ３ｃ…の型閉方向Ｆｃにおける前油室３ｃｆ…の油圧Ｐｆ，型開閉シリンダ３ｃ…の型開方向Ｆｏにおける後油室３ｃｒ…の油圧Ｐｒ及び油圧ポンプ２の吐出圧Ｐｐを監視し、型閉動作の際に、前油室３ｃｆ…の油圧Ｐｆが後油室３ｃｒ…の油圧Ｐｒよりも大きく、かつ前油室３ｃｆ…の油圧Ｐｆが油圧ポンプ２の吐出圧Ｐｐよりも大きいときは、メータイン制御の圧力制御ループにおける圧力指令を、前油室３ｃｆ…の油圧Ｐｆの大きさに切換える制御を行うことができる。加えて、型開閉シリンダ３ｃ…の型閉方向Ｆｃにおける前油室３ｃｆ…の油圧Ｐｆを監視し、当該油圧Ｐｆが負圧のときは、メータイン制御における流量を増加させるとともに、メータイン制御における開度を絞る制御を行うことができる。一方、型締装置１ｃとして、可動部４を、移動に係わる移動抵抗に基づく負荷の大きさが一定の大きさ以下の負荷状態に支持する可動部支持機構１１を備えた型締装置に適用して好適であり、可動部支持機構１１としては、可動部４を接触状態により直接摺動可能に支持する支持面１１ｆを設けた構成であってもよいし、可動部４をスライド変位自在に支持するリニアガイド機構部１１ｒを設けた構成であってもよい。なお、メータアウト回路６には、メータアウト制御により流量を可変制御可能な流量制御弁１３を用いるとともに、油圧ポンプ２には、ポンプモータ１２の回転数を可変することにより吐出流量を制御可能な可変吐出型油圧ポンプ２ｓを用いることが望ましい。
【００１５】
さらに、型開閉シリンダ３ｃ…の型閉方向Ｆｃにおける前油室３ｃｆ…の油圧Ｐｆ及び型開閉シリンダ３ｃ…の型開方向Ｆｏにおける後油室３ｃｒ…の油圧Ｐｒを監視し、型開動作の際に、後油室３ｃｒ…の油圧Ｐｒが前油室３ｃｆ…の油圧Ｐｆよりも大きいときは、メータアウト制御によるフィードバック制御の速度指令に、後油室３ｃｒ…の油圧Ｐｒと前油室３ｃｆ…の油圧Ｐｆの差圧に対応する大きさの速度指令を加算する制御を行うことができるとともに、型開閉シリンダ３ｃ…の型閉方向Ｆｃにおける前油室３ｃｆ…の油圧Ｐｆ，型開閉シリンダ３ｃ…の型開方向Ｆｏにおける後油室３ｃｒ…の油圧Ｐｒ及び油圧ポンプ２の吐出圧Ｐｐを監視し、型閉動作の際に、前油室３ｃｆ…の油圧Ｐｆが後油室３ｃｒ…の油圧Ｐｒよりも大きく、かつ前油室３ｃｆ…の油圧Ｐｆが油圧ポンプ２の吐出圧Ｐｐよりも大きいときは、メータイン制御の圧力制御ループにおける圧力指令を、前油室３ｃｆ…の油圧Ｐｆの大きさに切換える制御を行うことができる。加えて、型開閉シリンダ３ｃ…の型閉方向Ｆｃにおける前油室３ｃｆ…の油圧Ｐｆを監視し、当該油圧Ｐｆが負圧のときは、メータイン制御における流量を増加させるとともに、メータイン制御における開度を絞る制御を行うことができる。一方、型締装置１ｃとして、可動部４を、移動に係わる移動抵抗に基づく負荷の大きさが一定の大きさ以下の負荷状態に支持する可動部支持機構１１を備えた型締装置に適用して好適であり、可動部支持機構１１としては、可動部４を接触状態により直接摺動可能に支持する支持面１１ｆを設けた構成であってもよいし、可動部４をスライド変位自在に支持するリニアガイド機構部１１ｒを設けた構成であってもよい。なお、メータアウト回路６には、メータアウト制御により流量を可変制御可能な流量制御弁１３を用いるとともに、油圧ポンプ２には、ポンプモータ１２の回転数を可変することにより吐出流量を制御可能な可変吐出型油圧ポンプ２ｓを用いることが望ましい。
【発明の効果】
【００１６】
このような本発明に係る油圧式射出成形機１の制御方法及び駆動制御装置Ｃによれば、次のような顕著な効果を奏する。【００１７】
（１）  減速開始点Ｘｓに達したなら油圧駆動アクチュエータ３のメータイン側を流量制御することにより減速制御処理を開始し、可動部４の移動位置を検出して、当該移動位置に対応した速度指令により油圧駆動アクチュエータ３に対するメータイン制御を行うとともに、可動部４の移動速度を求め、当該移動速度に対して速度指令に一致するように油圧駆動アクチュエータ３に対するメータアウト制御によるフィードバック制御を行うようにしたため、可動部４の移動に係わる目標位置Ｘｏに対する制御精度及び安定性を高めることにより成形品質の向上を図れるとともに、可動部４が移動する際における減速処理の高速化による成形サイクルの短縮化を実現し、生産性及び量産性を高めることができ、特に、可動部４の移動に係わる負荷を小さくして省エネルギー性を高める際に用いて最適となる。【００１８】
（２）  停止位置Ｘｅに、仮想停止位置Ｘｅｓを含ませたため、この仮想停止位置Ｘｅｓを適用することにより、移動時に、正確な目標位置Ｘｏをリアルタイムで予測でき、より正確な目標位置Ｘｏに到達させることができるなど、多様性のある減速制御に利用できる。
【００１９】
（３）  減速開始点Ｘｓ設定するに際し、予め、設定した移動速度により可動部４を移動させる定速移動区間Ｚｃと、この定速移動区間Ｚｃの終了点（Ｘｓ）から漸次減速させる減速移動区間Ｚｄと、この減速移動区間Ｚｄが終了する目標位置Ｘｏを含む所定の速度制御パターンＤｐを設定し、実際の定速移動区間Ｚｃでは、設定した移動速度により可動部４を移動させ、かつ検出した移動速度と移動位置に基づき、所定の時間間隔毎に演算により順次予測した仮想停止位置Ｘｅｓで移動速度がゼロになる定速移動区間Ｚｃの終了点（Ｘｓ）を、減速開始点Ｘｓとして設定したため、目標位置Ｘｏに対する制御精度を高め、移動する可動部４の位置や時間のバラツキを飛躍的に低減できる。これにより、可動部４の高速化を図る場合でも、可動部４のオーバラン等のトラブルを回避できるととともに、同時に成形品質（均質化）の低下要因及び生産性の変動要因を排除できるという基本的な作用効果を享受できる。しかも、ソフトウェア処理により実現できるため、追加的なハードウェア、例えば、ブレーキ動作に必要なブレーキバルブや関連する回路要素などが不要となるため、油圧系回路のコストダウンに寄与できるとともに、回路構成の単純化及び小型化にも寄与できる。
【００２０】
（４）  好適な態様により、油圧駆動アクチュエータ３として、型締装置１ｃの型開閉シリンダ３ｃ…を適用するとともに、可動部４に、型締装置１ｃにおける可動型４ｃｍを支持する可動盤４ｍを含ませれば、型開閉毎に重量の大きい可動盤４ｍ及び可動型４ｃｍを含む可動部４を反復移動させる型締装置１ｃに対して、本発明に係る制御方法を適用できるため、本発明の望ましい作用効果を得る観点から最適な形態として実施できる。
【００２１】
（５）  好適な態様により、速度指令を、検出した可動部４の移動位置から速度制御パターンＤｐに基づいて求めるようにすれば、減速を含む移動制御時には、速度制御パターンＤｐを正確にトレースする速度指令を設定できるため、常にバラツキの少ない正確な速度指令を確保できる。【００２２】
（６）  好適な態様により、型開閉シリンダ３ｃ…の型閉方向Ｆｃにおける前油室３ｃｆ…の油圧Ｐｆ及び型開閉シリンダ３ｃ…の型開方向Ｆｏにおける後油室３ｃｒ…の油圧Ｐｒを監視し、型開動作の際に、後油室３ｃｒ…の油圧Ｐｒが前油室３ｃｆ…の油圧Ｐｆよりも大きいときは、メータアウト制御によるフィードバック制御の速度指令に、後油室３ｃｒ…の油圧Ｐｒと前油室３ｃｆ…の油圧Ｐｆの差圧に対応する大きさの速度指令を加算する制御を行うようにすれば、型開時に後油室３ｃｒ…に生じる無用な差圧を解消できるため、型開閉シリンダ３ｃ…の破損等のトラブルを回避できるとともに、急激な挙動変化を抑制できる。【００２３】
（７）  好適な態様により、型開閉シリンダ３ｃ…の型閉方向Ｆｃにおける前油室３ｃｆ…の油圧Ｐｆ，型開閉シリンダ３ｃ…の型開方向Ｆｏにおける後油室３ｃｒ…の油圧Ｐｒ及び油圧ポンプ２の吐出圧Ｐｐを監視し、型閉動作の際に、前油室３ｃｆ…の油圧Ｐｆが後油室３ｃｒ…の油圧Ｐｒよりも大きく、かつ前油室３ｃｆ…の油圧Ｐｆが油圧ポンプ２の吐出圧Ｐｐよりも大きいときは、メータイン制御の圧力制御ループにおける圧力指令を、前油室３ｃｆ…の油圧Ｐｆの大きさに切換える制御を行うようにすれば、型閉時に前油室３ｃｆ…に生じる無用な差圧に対して速度指令を絞ることができるため、負荷が大きすぎることにより駆動力が不足する不具合を解消できる。【００２４】
（８）  好適な態様により、型開閉シリンダ３ｃ…の型閉方向Ｆｃにおける前油室３ｃｆ…の油圧Ｐｆを監視し、当該油圧Ｐｆが負圧のときは、メータイン制御における流量を増加させるとともに、メータイン制御における開度を絞る制御を行うようにすれば、負圧による流量の一時的増減を解消できるため、移動中の可動盤４ｍが停止してしまうなどの不具合を回避できる。【００２５】
（９）  好適な態様により、型締装置１ｃとして、可動部４を、移動に係わる移動抵抗に基づく負荷の大きさが一定の大きさ以下の負荷状態に支持する可動部支持機構１１を備えた型締装置に適用すれば、可動部４を低負荷状態で移動させる可動部支持機構１１の搭載を可能にして、省エネルギー性を向上させることができるとともに、可動型４ｃｍを支持する可動盤４ｍを移動させる際における型開閉制御を高精度かつ安定に行うことができる。【００２６】
（１０）  好適な態様により、可動部支持機構１１を構成するに際し、可動部４を接触状態により直接摺動可能に支持する支持面１１ｆを設けて構成すれば、特に、構成の簡易化及びコスト面を考慮した汎用的な可動部支持機構１１として構成できる。【００２７】
（１１）  好適な態様により、可動部支持機構１１を構成するに際し、可動部４をスライド変位自在に支持するリニアガイド機構部１１ｒを設けて構成すれば、リニアガイド機構部１１ｒによるほとんど負荷が生じない低負荷状態にも対応できるため、この種のリニアガイド機構部１１ｒの使用を可能にするとともに、最も望ましい省エネルギー効果を得ることができる。【００２８】
（１２）  好適な態様により、メータアウト回路６に、メータアウト制御により流量を可変制御可能な流量制御弁１３を用いれば、精度の高い流量制御を行うことができる比例電磁弁やサーボ弁等を使用できるため、応答性及び精度の高い制御を実現できる。【００２９】
（１３）  好適な態様により、油圧ポンプ２に、ポンプモータ１２の回転数を可変することにより吐出流量を制御可能な可変吐出型油圧ポンプ２ｓを用いれば、油圧ポンプ２に対するインバータ制御により、メータイン制御を行うことができるため、別途のメータイン回路を不要にできる。これにより、コスト低減及び更なる省エネルギー性の向上に寄与できるとともに、特に、本発明に係る制御方法は、このような作動油における温度等の物理的な変動が大きく影響を受ける可変吐出型油圧ポンプ２ｓを搭載した型締装置１ｃに適用して、より大きな効果を得ることができる。
【図面の簡単な説明】
【００３０】
【図１】本発明の好適実施形態に係る油圧式射出成形機の制御方法の処理手順を説明するためのフローチャート、
【図２】本発明の好適実施形態に係る油圧式射出成形機に備える駆動制御装置の油圧回路図、
【図３】同油圧式射出成形機における可動部支持機構を備える型締装置の機械的構成図、
【図４】同油圧式射出成形機における他の可動部支持機構を備える型締装置の機械的構成図、
【図５】同油圧式射出成形機の駆動制御装置の型開動作時におけるバルブ切換状態を示す油圧回路図、
【図６】同油圧式射出成形機の駆動制御装置の型閉動作時におけるバルブ切換状態を示す油圧回路図、
【図７】同油圧式射出成形機の制御方法に用いる速度制御パターン図、
【図８】同油圧式射出成形機の変更例に係る駆動制御装置の要部を抽出して示す油圧回路図、
【図９】同変更例に係る駆動制御装置の制御方法の処理手順を説明するためのフローチャート、
【符号の説明】
【００３１】
１：油圧式射出成形機，１ｃ：型締装置，２：油圧ポンプ，２ｓ：可変吐出型油圧ポンプ，３：油圧駆動アクチュエータ，３ｃ…：型開閉シリンダ，３ｃｆ…：型開閉シリンダにおける前油室，３ｃｒ…：型開閉シリンダにおける後油室，４：可動部，４ｍ：可動盤，４ｃｍ：可動型，５：メータイン回路，６：メータアウト回路，７：制御部，１１：可動部支持機構，１１ｆ：支持面，１１ｒ：リニアガイド機構部，１２：ポンプモータ，１３：流量制御弁，Ｃ：駆動制御装置，Ｘｓ：減速開始点，（Ｘｓ）：定速移動区間の終了点，Ｘｅ：停止位置，Ｘｅｓ：仮想停止位置，Ｘｏ：目標位置，Ｚｃ：定速移動区間，Ｚｄ：減速移動区間，Ｄｐ：速度制御パターン，Ｆｃ：型閉方向，Ｆｏ：型開方向
【発明を実施するための最良の形態】
【００３２】
次に、本発明に係る最良実施形態を挙げ、図面に基づき詳細に説明する。【００３３】
まず、本実施形態に係る制御方法を用いて好適な油圧式射出成形機１に備える型締装置１ｃの構成について、図２〜図４を参照して説明する。【００３４】
図２中、１は油圧式射出成形機であり、型締装置１ｃと仮想線で一部を示す射出装置１ｉを備える。図３及び図４に、本実施形態に係る制御方法を用いて好適な型締装置１ｃ…、特に、異なる可動部支持機構１１…を備える二つのタイプの型締装置１ｃ，１ｃをそれぞれ示す。【００３５】
図３に示す型締装置１ｃは、基本構成として、成形機ベッド２１に固定した固定盤２２と、成形機ベッド２１の上面上に、可動部支持機構１１により型開方向Ｆｏ及び型閉方向Ｆｃに変位自在に支持及びガイドされる受圧盤２３及び可動盤４ｍと、固定盤２２と受圧盤２３間に架設し、一端を固定盤２２に固定するとともに、他端側を受圧盤２３に挿通させた複数（例示は４本）のタイバー２４…とを備える。そして、固定盤２２により仮想線で示す固定型４ｃｃを支持するとともに、可動盤４ｍにより仮想線で示す可動型４ｃｍを支持する。この固定型４ｃｃと可動型４ｃｍにより金型４ｃが構成される。これにより、可動型４ｃｍを支持する可動盤４ｍは、本発明における可動部４として機能する。さらに、図２に示すように、受圧盤２３には型締シリンダ２５を設け、この型締シリンダ２５に内蔵する駆動ラム２５ｒは可動盤４ｍに結合する。【００３６】
また、受圧盤２３とタイバー２４…間には各タイバー２４…毎に第一ロック機構部２６…をそれぞれ備える。任意の第一ロック機構部２６（他の第一ロック機構部２６…も同じ）は、タイバー２４の他端から軸方向の所定範囲に形成した被係止部２６ｓと、受圧盤２３に設けた係止部２６ｃを備え、この係止部２６ｃをロックモード又はロック解除モードに切換えることにより、被係止部２６ｓの任意の位置と受圧盤２３の位置をロックし、又はロック解除することができる。【００３７】
さらに、受圧盤２３と可動盤４ｍ間には、複数の第二ロック機構部２７…を配設する。例示する任意の第二ロック機構部２７（他の第二ロック機構部２７…も同じ）は、一端を可動盤４ｍに固定し、かつ他端から軸方向の所定範囲に形成した被係止部２７ｒｓを有する被係止ロッド２７ｒと、受圧盤２３に設けた係止部２７ｃとを備え、この係止部２７ｃをロックモード又はロック解除モードに切換えることにより、被係止部２７ｒｓの任意の位置、即ち、可動盤４ｍの任意の位置と受圧盤２３の位置をロックし、又はロック解除することができる。【００３８】
一方、成形機ベッド２１の上面に配設する可動部支持機構１１は、可動盤４ｍの移動に係わる移動抵抗による負荷の大きさが一定の大きさ以下の負荷状態に支持する機能を備える。これにより、特に、重量物となる可動型４ｃｍを支持する可動盤４ｍを、低負荷状態で移動させることができるため、摩擦抵抗等によるエネルギーロスを低減し、省エネルギー性をより向上させることができる。【００３９】
図３に示す可動部支持機構１１は、リニアガイド機構部１１ｒを用いたものであり、比較的大型の主リニアガイド３１と比較的小型の副リニアガイド３１の組合わせからなる。具体的には、成形機ベッド２１の上面に配設した左右一対のレールメンバからなる主ガイドレール部３１ｒと、この主ガイドレール部３１ｒに沿ってスライド自在に支持され、かつ主架台３３の下面に取付けた左右一対のスライダメンバからなる主前スライダ部３１ｓｆ及び主後スライダ部３１ｓｒにより構成した主リニアガイド３１を備えるとともに、主架台３３の上面における型閉方向Ｆｃ側に配設した左右一対のレールメンバからなる副ガイドレール部３２ｒと、この副ガイドレール部３２ｒに沿ってスライド自在に支持され、かつ副架台３４の下面に取付けた左右一対のスライダメンバからなる副前スライダ部３２ｓｆ及び副後スライダ部３２ｓｒにより構成した副リニアガイド３２を備える。【００４０】
そして、主架台３３の上面における型開方向Ｆｏ側に受圧盤２３を載置して固定するとともに、副架台３４の上面に可動盤４ｍを載置して固定する。このように、可動部支持機構１１を構成するに際し、可動部４をスライド変位自在に支持するリニアガイド機構部１１ｒを設けて構成すれば、特に、リニアガイド機構部１１ｒによるほとんど負荷が生じない低負荷状態にも対応できるため、この種のリニアガイド機構部１１ｒの使用を可能にするとともに、最も望ましい省エネルギー効果を得れる利点がある。【００４１】
また、固定盤２２には、左右一対の型開閉シリンダ３ｃ，３ｃ（図２参照）を固定するとともに、各型開閉シリンダ３ｃ，３ｃから突出するピストンロッド３ｐ…の先端は、主架台３３に結合して固定する。この型開閉シリンダ３ｃ…は、本発明の油圧駆動アクチュエータ３を構成する。【００４２】
このように、油圧駆動アクチュエータ３に、型締装置１ｃの型開閉シリンダ３ｃ…を適用するとともに、可動部４に、上述した可動型４ｃｍを支持する可動盤４ｍを適用すれば、型開閉毎に重量の大きい可動盤４ｍ及び可動型４ｃｍを含む可動部４を反復移動させる型締装置１ｃに対して、本発明に係る制御方法を適用できるため、本発明の望ましい作用効果を得る観点から最適な形態として実施できる。【００４３】
これにより、型開工程では、第一ロック機構部２６をロック解除モードに切換え、かつ第二ロック機構部２７をロックモードに切換えるとともに、型開閉シリンダ３ｃ，３ｃを型開方向Ｆｏに駆動すれば、可動盤４ｍ及び受圧盤２３を一体として型開方向Ｆｏにスライド移動させる高速型開を行なうことができる。【００４４】
これに対して、型閉工程では、第一ロック機構部２６をロック解除モードに維持し、かつ第二ロック機構部２７をロックモードに維持したままで、型開閉シリンダ３ｃ，３ｃを型閉方向Ｆｃに駆動すれば、可動盤４ｍ及び受圧盤２３を一体として型閉方向Ｆｃにスライド移動させる高速型閉を行なうことができる。そして、所定の型閉位置に移動したなら、停止処理（減速処理）を行うとともに、型締工程では、第一ロック機構部２６をロックモードに切換え、かつ第二ロック機構部２７をロック解除モードに切換えるとともに、型締シリンダ２５を駆動すれば、受圧盤２３は位置が固定され、可動盤４ｍはスライド変位が許容されるため、高圧型締を行うことができる。【００４５】
他方、図４に示す型締装置１ｃは、図３に示した型締装置１ｃに対して基本構成は同じであるが、可動部支持機構１１として、成形機ベッド２１の上面に、低摩擦の支持面１１ｆを有する低摩擦プレート３５を敷設し、タイバー２４…により可動盤４ｍを支持及びガイドする構成とした点が異なる。したがって、図４における図３と同一部分には同一符号を付して、その構成を明確にするとともに、その詳細な説明は省略する。【００４６】
図３に示す可動部支持機構１１では、可動盤４ｍの下面が、支持面１１ｆの上面に接触状態により直接摺動可能に支持されるとともに、受圧盤２３の下面も同様に、支持面１１ｆの上面に接触状態により直接摺動可能に支持される。一方、固定盤２２に固定した左右一対の型開閉シリンダ３ｃ，３ｃから突出するピストンロッド３ｐ…の先端は、可動盤４ｍに設けた開口部を挿通させ、受圧盤２３に結合して固定する。これにより、図４に示した型締装置１ｃと同様の動作を行なわせることができる。このように、可動部支持機構１１を構成するに際し、可動部４を接触状態により直接摺動可能に支持する支持面１１ｆを設けて構成すれば、特に、構成の簡易化及びコスト面を考慮した汎用的な可動部支持機構１１として構成できる利点がある。【００４７】
その他、図２に示す型締装置１ｃにおいて、３６，３６は補助シリンダ、３７ｖはサブタンク３７ｔに備えるプレフィルバルブをそれぞれ示す。なお、射出装置１ｉは、射出ノズル１ｉｎを金型４ｃ（固定型４ｃｃ）にノズルタッチすることにより金型４ｃのキャビティ内に溶融樹脂を射出充填する機能を備える。【００４８】
次に、型締装置１ｃに用いる本実施形態に係る駆動制御装置Ｃの構成について、図２及び図５を参照して説明する。【００４９】
駆動制御装置Ｃは、大別して、型締装置１ｃを駆動する図２に示す油圧駆動部Ｃｄとこの油圧駆動部Ｃｄを制御する図５に示す制御部７（成形機コントローラＣｃ）により構成する。【００５０】
最初に、油圧駆動部Ｃｄの構成について説明する。油圧駆動部Ｃｄは、油圧駆動源となる油圧ポンプ２と、この油圧ポンプ２から吐出する作動油が供給される油圧回路５１とを備える。【００５１】
まず、油圧ポンプ２の構成について説明する。使用する油圧ポンプ２は可変吐出型油圧ポンプ２ｓ（以下、油圧ポンプ２ｓと略記する）である。油圧ポンプ２ｓは、図２に示すように、ポンプ本体４１とこのポンプ本体４１を回転駆動するサーボモータ１２ｓ（ポンプモータ１２）を備える。サーボモータ１２ｓは、成形機コントローラＣｃの出力ポートに接続した交流サーボモータを用いる。サーボモータ１２ｓには、このサーボモータ１２ｓの回転数を検出するロータリエンコーダ１２ｅが付設され、このロータリエンコーダ１２ｅは成形機コントローラＣｃの入力ポートに接続する。【００５２】
また、ポンプ本体４１は斜板型ピストンポンプにより構成する。したがって、ポンプ本体４１は、斜板４２を備え、斜板４２の傾斜角（斜板角）を大きくすれば、ポンプ本体４１におけるポンプピストンのストロークが大きくなり、吐出流量が増加するとともに、斜板角を小さくすれば、同ポンプピストンのストロークが小さくなり、吐出流量が減少する。よって、斜板角を所定の角度に設定することにより、吐出流量が所定の大きさに固定される固定吐出流量を設定することができる。さらに、斜板４２には、コントロールシリンダ４３及び戻しスプリング４４を付設するとともに、コントロールシリンダ４３は、切換弁（電磁弁）４５、絞り４６、逆止弁４７を介してポンプ本体４１の吐出口に接続する。これにより、斜板４２の角度（斜板角）は、コントロールシリンダ４３を制御することにより変更することができる。なお、４８はポンプ圧センサ（吐出圧センサ）を示す。【００５３】
そして、ポンプ本体４１の吸入口は、オイルタンク４９に接続するとともに、ポンプ本体４１の吐出口は、後述する油圧回路５１に接続する。このような可変吐出型油圧ポンプ２ｓは、サーボモータ１２ｓの回転数を可変して吐出流量を制御可能、即ち、型開閉シリンダ３ｃ，３ｃに流入させる作動油の流量を可変制御できるため、実質的なメータイン回路５として機能する。【００５４】
このように、油圧ポンプ２に、ポンプモータ１２（サーボモータ１２ｓ）の回転数を可変することにより吐出流量を制御可能な油圧ポンプ２ｓを用いれば、油圧ポンプ２に対するインバータ制御により、メータイン制御を行うことができるため、別途のメータイン回路を不要にできる。これにより、コスト低減及び更なる省エネルギー性の向上に寄与できるとともに、特に、本発明に係る制御方法は、作動油における温度等の物理的な変動により大きく影響を受ける、このような油圧ポンプ２ｓを搭載した型締装置１ｃに適用して、より大きな効果を得ることができる。【００５５】
次に、油圧ポンプ２ｓから吐出する作動油が供給される油圧回路５１の構成について説明する。【００５６】
油圧回路５１は、主要動作を切換える電磁方向切換弁Ｍ１、電磁チェック弁Ｍ２、絞りを内蔵する流量制御弁１３、オイルタンクＴｏ…を備え、図２に示すように接続して油圧回路５１を構成する。この場合、流量制御弁１３は、型開閉シリンダ３ｃ，３ｃから流出する作動油の流量を可変制御可能となるため、メータアウト回路６として機能する。なお、図２に示す流量制御弁１３は比例電磁弁を例示するが、より精度の高い制御を行うことができるサーボ弁等であってもよい。このように、メータアウト回路６を構成するに際し、メータアウト制御により流量を可変制御可能な流量制御弁１３を用いれば、精度の高い流量制御を行うことができる比例電磁弁やサーボ弁等を使用できるため、応答性及び精度の高い制御を実現できる利点がある。【００５７】
次に、このような構成を有する油圧ポンプ２及び油圧回路５１を制御する制御部７を構成する成形機コントローラＣｃについて、図５を参照して説明する。【００５８】
成形機コントローラＣｃは油圧式射出成形機１の全体の制御を司る機能を備えるとともに、特に、本実施形態に係る駆動制御装置Ｃとの関係では制御部７として機能する。したがって、図５に示すように、油圧回路５１を構成する、電磁方向切換弁Ｍ１、電磁チェック弁Ｍ２、流量制御弁１３は、それぞれ成形機コントローラＣｃの出力ポートに接続する。また、前述したように、油圧ポンプ２ｓに備えるサーボモータ１２ｓは、成形機コントローラＣｃの出力ポートに接続するとともに、ロータリエンコーダ１２ｅは、成形機コントローラＣｃの入力ポートに接続する。【００５９】
次に、このような構成を有する型締装置１ｃにおける型開閉動作を含む本実施形態に係る制御方法について、図５及び図６を参照しつつ図１に示すフローチャートに従って説明する。【００６０】
なお、型開閉動作に際しては、予め、設定した所定の移動速度により可動盤４ｍを移動させる定速移動区間Ｚｃと、この定速移動区間Ｚｃの終了点（Ｘｓ）から漸次減速させる減速移動区間Ｚｄと、この減速移動区間Ｚｄが終了する仮想停止位置Ｘｅｓを含む速度制御パターンＤｐが、一例として示す図７のように設定されているものとする。また、図示を省略したが、可動盤４ｍの移動位置及び移動時間等を検出する位置センサ及びタイマー等の制御に必要な検出手段を備えている。【００６１】
最初に、型開工程及び型閉工程における図７に示す定速移動区間Ｚｃの動作について、図５及び図６を参照して説明する。図５は型開工程における油圧回路５１の切換状態を示すとともに、図６は型閉工程における油圧回路５１の切換状態を示す。【００６２】
まず、型開工程では、図５に示すように、成形機コントローラＣｃから付与される弁切換信号により、流量制御弁１３はシンボルａに、電磁方向切換弁Ｍ１はシンボルａに、電磁チェック弁Ｍ２はシンボルａに、それぞれ切換えられる。これにより、油圧ポンプ２ｓから吐出した作動油は、図５中、矢印方向Ｋｏに流れ、電磁方向切換弁Ｍ１のシンボルａを介して型開閉シリンダ３ｃ，３ｃの前油室３ｃｆ，３ｃｆに流入して駆動ピストンロッドを型開方向Ｆｏに移動させる。また、型開閉シリンダ３ｃ，３ｃの後油室３ｃｒ，３ｃｒから流出する作動油は、図５中、矢印方向Ｋｒに流れ、電磁チェック弁Ｍ２のシンボルａ，電磁方向切換弁Ｍ１のシンボルａ，流量制御弁１３のシンボルａを介して型開閉シリンダ３ｃ，３ｃの前油室３ｃｆ，３ｃｆに流入する作動油の供給ラインに合流する。したがって、定速移動区間Ｚｃでは、設定された型開速度となるように、移動速度に対するフィードバック制御が行われる。【００６３】
一方、型閉工程では、図６に示すように、成形機コントローラＣｃから付与される弁切換信号により、流量制御弁１３はシンボルｂに、電磁方向切換弁Ｍ１はシンボルｂに、電磁チェック弁Ｍ２はシンボルｂに、それぞれ切換えられる。これにより、油圧ポンプ２ｓから吐出した作動油は、図６中、矢印方向Ｋｏに流れ、電磁方向切換弁Ｍ１のシンボルｂ，電磁チェック弁Ｍ２のシンボルｂをそれぞれ介して型開閉シリンダ３ｃ，３ｃの後油室３ｃｒ，３ｃｒに流入して駆動ピストンロッドを型閉方向Ｆｃに移動させる。【００６４】
また、型開閉シリンダ３ｃ，３ｃの前油室３ｃｆ，３ｃｆから流出する作動油は、図６中、矢印方向Ｋｒに流れ、第一の経路となる、電磁方向切換弁Ｍ１はシンボルｂ、流量制御弁１３のシンボルｂを介してオイルタンクＴｏに排出されるとともに、第二の経路となる、流量制御弁１３のシンボルｂを介してオイルタンクＴｏに排出される。したがって、定速移動区間Ｚｃでは、設定された型閉速度となるように、移動速度に対するフィードバック制御が行われる。【００６５】
次に、本発明の要部となる減速移動区間Ｚｄの制御方法について、図１に示すフローチャートに従って具体的に説明する。【００６６】
今、油圧式射出成形機１では、所定の製品に対する成形工程が継続して行われているものとする（ステップＳ１）。そして、型開工程又は型閉工程に移行し、型開指令又は型閉指令が出力した場合を想定する（ステップＳ２）。これにより、型開閉シリンダ３ｃ，３ｃが駆動され、可動型４ｃｍを支持する可動盤４ｍが型開方向Ｆｏ又は型閉方向Ｆｃに移動を開始するとともに、上述した定速移動区間Ｚｃにより、予め設定された移動速度となるように定速制御される（ステップＳ３）。【００６７】
また、この定速移動区間Ｚｃでは、可動盤４ｍの移動速度と移動位置を検出するとともに、検出した移動速度と移動位置に基づき、所定の時間間隔毎に演算により順次予測した、仮想停止位置Ｘｅｓで移動速度がゼロになる定速移動区間の終了点（Ｘｓ）を求め、この定速移動区間Ｚｃの終了点（Ｘｓ）を減速開始点Ｘｓとして設定する。即ち、減速区間Ｚｄの距離Ｌｄは、Ｌｄ＝（移動速度・移動時間）／２と推定されるため、（Ｘｅｓ−Ｌｄ）≦移動位置の条件に達したなら、減速開始点（減速開始位置）Ｘｓに達したものと判断する。【００６８】
減速開始位置Ｘｓに達したなら減速区間Ｚｄに移行し、まず、メータイン回路５により流量の抑制（絞り）を開始する（ステップＳ４，Ｓ５）。この減速区間Ｚｄでは、可動盤４ｍ（可動型４ｃｍ）の移動位置を一定のサンプリング間隔により順次検出し、検出した移動位置に基づき、移動速度を求める（ステップＳ６，Ｓ７）。そして、検出した移動位置における目標となる移動速度（速度指令値）を前述した速度制御パターンＤｐに基づき演算により求め、この移動位置における実際の移動速度が目標となる移動速度になるように、メータイン回路５をメータイン制御する（ステップＳ８）。即ち、油圧ポンプ２ｓの流量制御を行うことにより移動速度の制御を行う。このように、速度指令（速度指令値）を、検出した可動盤４ｍの移動位置から速度制御パターンＤｐに基づいて求めれば、減速を含む移動制御時には、速度制御パターンＤｐを正確にトレースするため、常にバラツキの少ない正確な速度指令を設定できる。【００６９】
この場合の速度指令値Ｄｍは、次の〔数１〕式により求めることができる。なお、〔数１〕中、Ｘｒｓは減速切換位置（図７ではＸｃ）、Ｘｄは検出した移動位置、Ｖｄｓは減速開始位置Ｘｓにおける移動速度、Ｔｄは減速区間の移動時間、Ｖｍは減速前の移動速度（速度指令値）である。【００７０】
【数１】
0006779296.tif 000002
【００７１】
また、減速区間Ｚｄでは、移動位置における実際の移動速度と目標となる移動速度（速度指令）の偏差を検出し、この偏差に基づき流量制御弁１３に対するフィードバック制御（ＰＩＤ制御）を行う。具体的には、偏差に基づく制御指令をメータアウト回路６を構成する流量制御弁１３に付与し、特に、移動速度が速すぎる場合における抑制制御を行う（ステップＳ９）。【００７２】
この場合の流量制御弁１３に付与される制御出力（操作量）Ｄｏは、〔数２〕式により得られる。なお、〔数２〕中、ＳＶは設定値（目標速度）、ＰＶｔは検出した移動速度、ｅｔは偏差（ＳＶ−ＰＶｔ）、Ｋｐは比例ゲイン、Ｔｉは積分時間、Ｔｄは微分時間である。【００７３】
【数２】
0006779296.tif 000003
【００７４】
これにより、可動盤４ｍの移動速度に対しては、型開閉シリンダ３ｃ…の流入側におけるメータイン回路５による速度制御パターンＤｐに基づく流量制御（オープンループ制御）と、型開閉シリンダ３ｃ…の流出側におけるメータアウト回路６によるフィードバック制御（クローズドループ制御）のいわば双方向による複合制御が行われ、図７に示す速度制御パターンＤｐにおける減速移動区間Ｚｃを正確にトレースする形で減速処理が行われることになる。【００７５】
そして、定速移動区間Ｚｃの移動速度の概ね１０〜６０〔％〕の低速となる移動速度まで低下、即ち、図７にＸｃで示す切換位置に到達したなら減速移動区間Ｚｄを終了して後続工程となる型締工程に移行する（ステップＳ１０，Ｓ１１，Ｓ１２）。なお、例示は、停止位置Ｘｅとして仮想停止位置Ｘｅｓを設定し、減速移動区間Ｚｄが終了する切換位置Ｘｃを目標位置Ｘｏとしたが、この切換位置Ｘｃを実際に停止させる正規停止位置Ｘｅとして設定してもよい。したがって、停止位置Ｘｅを、仮想停止位置Ｘｅｓとして設定した場合、目標位置Ｘｏと停止位置Ｘｅは異なるが、停止位置Ｘｅを、実際の正規停止位置Ｘｅとして設定する場合、目標位置Ｘｏと停止位置Ｘｅは同じになる。この目標位置Ｘｅが、本実施形態における型開位置又は型閉位置となる。【００７６】
このように、停止位置Ｘｅとして、正規停止位置Ｘｅ又は仮想停止位置Ｘｅｓを含ませることができるため、通常の停止処理に適用すれば、汎用性のある停止制御に利用できるとともに、仮想停止位置Ｘｅｓを適用すれば、移動時に、正確な目標位置Ｘｏをリアルタイムで予測でき、より正確な目標位置Ｘｏに到達可能になるなど、多様性のある減速制御に適用できる。【００７７】
特に、仮想停止位置Ｘｅｓを適用すれば、減速開始点Ｘｓ設定するに際し、予め、設定した移動速度により可動部４を移動させる定速移動区間Ｚｃと、この定速移動区間Ｚｃの終了点（Ｘｓ）から漸次減速させる減速移動区間Ｚｄと、この減速移動区間Ｚｄが終了する目標位置Ｘｏを含む所定の速度制御パターンＤｐを設定し、実際の定速移動区間Ｚｃでは、前記設定した移動速度により可動部４を移動させ、かつ検出した移動速度と移動位置に基づき、所定の時間間隔毎に演算により順次予測した仮想停止位置Ｘｅｓで移動速度がゼロになる定速移動区間Ｚｃの終了点（Ｘｓ）を、減速開始点Ｘｓとして設定すれば、目標位置Ｘｏに対する制御精度を高め、移動する可動部４の位置や時間のバラツキを飛躍的に低減できるため、可動部４の高速化を図る場合でも、可動部４のオーバラン等のトラブルを回避できるととともに、同時に成形品質（均質化）の低下要因及び生産性の変動要因を排除できるという基本的な作用効果を享受できる。しかも、ソフトウェア処理により実現できるため、追加的なハードウェア、例えば、ブレーキ動作に必要なブレーキバルブや関連する回路要素などが不要となるため、油圧系回路のコストダウンに寄与できるとともに、回路構成の単純化及び小型化にも寄与できる利点がある。【００７８】
次に、本実施形態の変更例に係る制御方法及び駆動制御装置Ｃについて、図８及び図９を参照して説明する。【００７９】
図８は、変更例に係る駆動制御装置Ｃの要部を抽出して示す油圧回路図を示す。変更例に係る駆動制御装置Ｃは、図２に示した基本形態の駆動制御装置Ｃの油圧回路５１に対して、型開閉シリンダ３ｃ，３ｃにおける前油室３ｃｆ…の油圧Ｐｆを検出する油圧センサ７１ｆを接続するとともに、型開閉シリンダ３ｃ，３ｃにおける後油室３ｃｒ…の油圧Ｐｒを検出する油圧センサ７１ｒを接続したものである。各油圧センサ７１ｆ，７１ｒは制御部７（成形機コントローラＣｃ）に接続する。４８は前述したポンプ圧センサ（吐出圧センサ）であり、油圧ポンプ２ｓの吐出圧Ｐｐを検出して制御部７に付与する機能を備える。変更例は、以上の油圧Ｐｆ，Ｐｒ及び吐出Ｐｐを監視した制御を行うものである。したがって、図８において省略した他の駆動制御装置Ｃにおける油圧回路５１の構成は、図２と同じとなる。このため、図８における図２と同一部分には同一符号を付してその構成を明確にするとともに、その詳細な説明は省略する。
【００８０】
図９は、変更例に係る駆動制御装置Ｃの制御方法の処理手順を説明するためのフローチャートを示す。【００８１】
油圧式射出成形機１では、所定の製品に対する成形工程が継続して行われているものとする（ステップＳ２１）。そして、今、型開工程に移行し、型開工程が行われている場合を想定する（ステップＳ２２）。なお、型開工程では、前述した図１に示すフローチャートに基づく制御処理が行われる。また、型開工程では、変更例に係る制御方法に従って、型開閉シリンダ３ｃ…の型閉方向Ｆｃにおける前油室３ｃｆ…の油圧Ｐｆ及び型開閉シリンダ３ｃ…の型開方向Ｆｏにおける後油室３ｃｒ…の油圧Ｐｒを検出し、制御部７により油圧ＰｆとＰｒの大きさを監視する（ステップＳ２３）。そして、型開動作の際に、後油室３ｃｒ…の油圧Ｐｒが前油室３ｃｆ…の油圧Ｐｆよりも大きいとき、即ち、Ｐｒ＞Ｐｆのときは、油圧ＰｒとＰｆの差圧を算出する（ステップＳ２４，Ｓ２５）。そして、算出した油圧ＰｒとＰｆの差圧に対応する大きさの速度指令をメータアウト制御によるフィードバック制御の速度指令に加算する制御を行う（ステップＳ６）。これにより、型開時に後油室３ｃｒ…に生じる無用な差圧を解消できるため、型開閉シリンダ３ｃ…の破損等のトラブルを回避できるとともに、急激な挙動変化を抑制できる。【００８２】
一方、型閉工程に移行し、型閉工程が行われている場合を想定する（ステップＳ２７）。なお、型閉工程でも、前述した図１に示すフローチャートに基づく制御処理が行われる。また、型開工程では、変更例に係る制御方法に従って、型開閉シリンダ３ｃ…の型閉方向Ｆｃにおける前油室３ｃｆ…の油圧Ｐｆ，型開閉シリンダ３ｃ…の型開方向Ｆｏにおける後油室３ｃｒ…の油圧Ｐｒ及び油圧ポンプ２の吐出圧Ｐｐを検出し、制御部７により油圧ＰｆとＰｒの大きさ及び油圧ポンプ２の吐出圧Ｐｐの大きさを監視する（ステップＳ２８）。そして、型閉動作の際に、前油室３ｃｆ…の油圧Ｐｆが負圧のとき、即ち、Ｐｆ＜０のときは、メータイン制御における流量を増加させるとともに、メータイン制御における開度を絞る制御を行う（ステップＳ２９，Ｓ３０）。これにより、負圧による流量の一時的増減を解消できるため、移動中の可動盤４ｍが停止してしまう不具合を回避できる。【００８３】
また、型閉動作の際に、前油室３ｃｆ…の油圧Ｐｆが後油室３ｃｒ…の油圧Ｐｒよりも大きいとき、即ち、Ｐｒ＜Ｐｆのとき（ステップＳ３１）であって、前油室３ｃｆ…の油圧Ｐｆが油圧ポンプ２の吐出圧Ｐｐよりも大きいとき、即ち、Ｐｆ＞Ｐｐのとき（ステップＳ３２）は、メータイン制御の圧力制御ループにおける圧力指令を、前油室３ｃｆ…の油圧Ｐｆの大きさに切換え、型閉時に前油室３ｃｆ…に生じる無用な差圧に対して速度指令を絞る制御を行う（ステップＳ３３，Ｓ３４）。これにより、負荷が大きすぎることにより駆動力が不足する不具合を解消できる。【００８４】
そして、以上の圧力差が生じない場合又は解消した場合は、前述した図１に示したフローチャートに従って成形工程が継続して行われる（ステップＳ３５）。【００８５】
このように、本実施形態に係る油圧式射出成形機の制御方法によれば、基本的な手法として、減速開始点Ｘｓに達したなら型開閉シリンダ３ｃ，３ｃ（油圧駆動アクチュエータ３）のメータイン側を流量制御することにより減速制御処理を開始し、可動型４ｃｍを支持する可動盤４ｍ（可動部４）の移動位置を検出して当該移動位置に対応した速度指令により型開閉シリンダ３ｃ，３ｃに対するメータイン制御を行うとともに、可動盤４ｍの移動位置を検出して当該可動盤４ｍの移動速度を求め、当該移動速度に対して速度指令に一致するように型開閉シリンダ３ｃ，３ｃに対するメータアウト制御によるフィードバック制御を行うようにしたため、可動盤４ｍの移動に係わる目標位置Ｘｏに対する制御精度及び安定性を高めることにより成形品の向上を図れるとともに、可動盤４ｍが移動する際の減速処理の高速化による成形サイクルの短縮化を実現し、生産性及び量産性を高めることができ、特に、可動盤４ｍの移動に係わる負荷を小さくして省エネルギー性を高める際に用いて最適となる。【００８６】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。【００８７】
例えば、可動部支持機構１１として、可動部４を接触状態により直接摺動可能に支持する支持面１１ｆ及び可動部４をスライド変位自在に支持するリニアガイド機構部１１ｒを例示したが、ローラ用いた構成など、同様の機能を有する他の構成を用いた可動部支持機構１１であってもよい。また、メータアウト回路６として流量制御弁１３を例示したが、同様のメータアウト制御を実現できる他の油圧回路部品等により置換できる。さらに、油圧ポンプ２として可変吐出型油圧ポンプ２ｓを例示したが、他型式の油圧ポンプ２を排除するものではない。したがって、この場合、メータイン回路５は別途の油圧回路として構成できる。一方、速度制御パターンＤｐは、理解を容易にするため、最もシンプルなパターンを一例として挙げたが、複雑なパターンを含む各種パターンを適用できる。
【産業上の利用可能性】
【００８８】
本発明は、油圧式射出成形機における型締装置をはじめ、射出装置やエジェクタ装置等の各種油圧駆動アクチュエータの制御方法及び駆動制御装置として利用できる。
【図１】
0006779296.tif 000004
【図２】
0006779296.tif 000005
【図３】
0006779296.tif 000006
【図４】
0006779296.tif 000007
【図５】
0006779296.tif 000008
【図６】
0006779296.tif 000009
【図７】
0006779296.tif 000010
【図８】
0006779296.tif 000011
【図９】
0006779296.tif 000012